(57)【特許請求の範囲】
【請求項１】
底板、蓋板、及び少なくとも４枚の側板が連接されたシートから組み立てられる箱本体と、
箱本体の一側端及び他側端それぞれの上下各部に連接されたフラップ片をそれぞれ多段階に折込んで立体形成した、箱本体に連接する４つの折込み支持片と、を具備して一体的に構成された瓶の包装箱であって、
箱本体の一側端において、上下に連接する折込み支持片をそれぞれ多角形筒体形状（ただし、多角形として三角形及び凹多角形は除く）に立体成形し、各多角形筒体を上下に重ね合わせて互いに組み合わせることで、被包装物の頭部を保持する頭部保持孔を有した一側端の被包装物固定部が形成され、
箱本体の他側端において、上下に連接する折込み支持片をそれぞれ多角形筒体形状（ただし、多角形として三角形及び凹多角形は除く）に立体成形し、各多角形筒体を上下に重ね合わせて互いに係合させることで、被包装物の底部を保持する底部保持孔を有した他側端の被包装物固定部が形成され、
前記一側端及び他側端の被包装物固定部によって、箱本体の内部に横入れ方向に収納される瓶状の被包装物の頭部及び底部を、頭部保持孔及び底部保持孔のそれぞれで保持しながら、被包装物の側部が箱底面から浮いた中空状態で、被包装物を固定するものであって、
前記一側端の被包装物固定部において、上下の多角形筒体の各内部には、多角形筒体の形状保持用の対角片が連接形成され、各対角片は、組み合わせて形成された上下一組の多角形筒体のそれぞれにおいて多角形筒体の対角線方向を異なる方向に内部横断し、上下の対角片の端部同士が近接して、断面視略「く」の字形状に亘るように配されることを特徴とする包装箱。
【請求項２】
前記箱本体は、４枚の側板が四方向に連なって方形状筒箱を構成し、この方形状筒箱の下部の両側部から連成された左右一組の底板同士が対向して底板を構成すると共に、方形状筒箱の上部の両側部から連成された左右一組の蓋板同士が対向して蓋板を構成し、
前記他側端の被包装物固定部においては、立体成形した上下の折込み支持片の対向面を互いに当接させて組み合わせ、さらに上下それぞれに対応形成した係止構造を係合させた
状態で、箱内面の他側端部に充当してなり、
箱本体の一側端及び他側端の被包装物固定部は、上下に組み合わせた箱内充当状態のまま蓋板同士を開いて開蓋状態とすることが可能であると共に、箱本体の一側端、他側端の少なくともいずれかの被包装物固定部は、上下に組み合わせた箱内充当状態から、開蓋状態としたまま上部を上方に展開させて互いに分離可能であり、この分離と共に収容孔が上方に開放される、請求項１記載の包装箱。
【請求項３】
少なくともいずれかの被包装物固定部において、上下一組の折込み支持片の一部が、被包装物の頭部又は底部に対応してカットされ、このカットによる折込み支持片によって、頭部保持孔又は底部保持孔の孔底板が形成される、請求項１又は２に記載の包装箱。
【請求項４】
前記他側端の被包装物固定部において、上下一組の折込み支持片の一方及び他方に、互いに係止する、第一係止部たる差し込み片、及び、第二係止部たる切り欠き孔からなる係止構造を有する、請求項１、２、又は３のいずれかに記載の包装箱。
【発明の詳細な説明】
【技術分野】
【０００１】
この発明は、瓶状の被包装物を配送可能に収容する包装箱であって、特に、被包装物を横入れ方向に収容して開封時に瓶側面が見えるようにした包装箱に関する。
【背景技術】
【０００２】
従来、瓶状の被包装物を横方向に収容する横入れ容器（非特許文献１参照）が開示される。この横入れ容器は、蓋を開いたときに瓶の前面ラベルが見えるため、開封時の視認性ないし体裁が良いものとなっている。
【０００３】
また従来、贈答箱用の瓶保持体（特許文献１参照）が開示される。この贈答箱用の瓶保持体は、枠状に形成した紙製の瓶胴部保持体と、横三角筒状に形成した瓶肩部保持体とを、直方体状の贈答箱内に収容して用いるものとしている。瓶胴部保持体は、特定の形状のブランクを枠状に形成した紙製のものとされる。この瓶肩部保持体は、上底敷板と二個の肩部保持半楕円孔を有する肩部保持板と二個の胴部保持半円孔を有する胴部保持板と底敷折返片とを、それぞれ山折り罫を介して順に連設して、この二個の肩部保持半楕円孔の内周辺に、楕円弧状の折り目線を介して二枚の三角形状の肩部固定片を横三角筒状に形成した紙製のものとされる。
【０００４】
また他に従来、支持紐で縛り固定する瓶用包装箱が開示される（特許文献２参照）。この瓶用包装箱は、包装箱本体の左側板の略中央上部に２つの支持紐掛止孔を設け、同様に、右側板に２つの支持紐掛止孔を設け、支持紐を瓶が浮遊状態で固定されるように瓶の下部に配置し、支持紐をそれぞれの支持紐掛止孔に挿通させ、瓶の上部で支持紐を結紮することで、瓶を浮遊状態で固定するものとしている。
【先行技術文献】
【非特許文献】
【０００５】
【非特許文献１】インターネットｗｅｂアドレスhttp://www.bestcarton.com/cardboard/box/0100.html
【特許文献】
【０００６】
【特許文献１】実開平６−４９３１９号公報
【特許文献２】特開平７−３０９３８３号公報
【発明の概要】
【発明が解決しようとする課題】
【０００７】
ここで一般的に、瓶の側面は底面よりも強度に欠けるところ、前記瓶状の被包装物を横方向に収容する横入れ容器では、強度に欠ける瓶の側面が、容器の底部に位置することになる。このような横入れ容器を配送用に用いると、運搬中に容器の底部から衝撃を受けることで、被包装物である瓶の側面が破損しやすく、運搬時の衝撃緩衝性に欠けるという問題があった。
【０００８】
また、前記贈答箱用の瓶保持体は、瓶を斜め方向に収容する斜め収容タイプのものであって、未だ瓶側面で支持するため運搬時の衝撃緩衝性が十分でなかった。また、包装箱とは別に、瓶肩部保持体及び瓶胴部保持体からなる２つの保持部材の管理や組み込みの手間を要するため、生産効率が劣ってしまう問題があった。
【０００９】
さらに、前記瓶用包装箱は運搬時の衝撃緩衝性を或る程度有するとしても、支持紐によって瓶の側面を挟むように緊縛して浮遊状態で固定する構造のため、支持紐によって被包装物である瓶を安定的に支持することができなかった。また、支持紐の管理と箱への取付けの手間がかかり、生産効率が劣ってしまう問題があった。
【００１０】
そこで本発明では、開封時の体裁が良い横入れ収容型でありながら、運搬時の衝撃緩衝性と被包装物の支持安定性に優れ、また、生産効率に優れる包装箱を提供することを課題とする。
【課題を解決するための手段】
【００１１】
前記課題を解決するため本願では次の〔１〕〜〔４〕のような技術的手段を講じている。なお以下の括弧書きに示す符号は理解の補助のために図面にて実施例の相当構成箇所を参照するために便宜上付したものであり、概念ないし形態を特定したり限定したりするものではない。
〔１〕本発明の包装箱は、底板（２）、蓋板（３）、及び少なくとも４枚の側板（１）が連接されたシートから組み立てられる箱本体と、箱本体の一側端及び他側端それぞれの上下各部に連接されたフラップ片をそれぞれ多段階に折込んで立体形成した、箱本体に連接する４つの折込み支持片（４Ａ及び４Ｂ，５Ａ及び５Ｂ）と、を具備して一体的に構成された瓶の包装箱であって、
箱本体の一側端において、上下に連接する折込み支持片（４Ａ及び４Ｂ）をそれぞれ多角形筒体形状（ただし、多角形として三角形及び凹多角形は除く）に立体成形し、各多角形筒体を上下に重ね合わせて互いに組み合わせることで、被包装物（Ｂ）の頭部を保持する頭部保持孔（４Ｈ）を有した、一側端の被包装物固定部（４）が形成され、
箱本体の他側端において、上下に連接する折込み支持片（５Ａ及び５Ｂ）をそれぞれ多角形筒体形状（ただし、多角形として三角形及び凹多角形は除く）に立体成形し、各多角形筒体を上下に重ね合わせて互いに係合させることで、被包装物（Ｂ）の底部を保持する底部保持孔（５Ｈ）を有した、他側端の被包装物固定部（５）が形成され、前記一側端及び他側端の被包装物固定部（４，５）によって、箱本体の内部に横入れ方向に収納される瓶状の被包装物（Ｂ）の頭部（ＢＨ）及び底部（ＢＢ）を、頭部保持孔（４Ｈ）及び底部保持孔（５Ｈ）のそれぞれで保持しながら、被包装物（Ｂ）の側部（ＢＳ）（頭部（ＢＨ）及び底部（ＢＢ）を除く部分）が箱底面から浮いた中空状態で、被包装物（Ｂ）を保持固定するものであって、
前記一側端の被包装物固定部において、上下の多角形筒体の各内部には、多角形筒体の形状保持用の対角片が連接形成され、
各対角片は、組み合わせて形成された上下一組の多角形筒体のそれぞれにおいて多角形筒体の対角線方向を異なる方向に内部横断し、上下の対角片の端部同士が近接して、断面視略「く」の字形状に亘るように配されることを特徴とする。
【００１２】
上記構成であれば、被包装物（Ｂ）の頭部（ＢＨ）を、箱本体の一端部に形成した被包装物固定部（４）の頭部保持孔（４Ｈ）内に保持固定すると共に、被包装物（Ｂ）の底部（ＢＢ）を、箱の他端部に形成した被包装物固定部（５）の底部保持孔（５Ｈ）内に保持固定することができる。特に、各被包装物固定部（４，５）は、箱本体に連接された２つの折込み支持片（４Ａ及び４Ｂ，５Ａ及び５Ｂ）を上下に組み合わせるか係合させることで、緩衝性と形状保持性に優れるものとなっている。被包装物固定部（４，５）は、箱本体の内部であって被包装物（Ｂ）の頭部側と底部側とにそれぞれ頭部保持孔（４Ｈ）と底部保持孔（５Ｈ）を有しており、この頭部保持孔（４Ｈ）と底部保持孔（５Ｈ）とが被包装物（Ｂ）の頭部及び底部を保持することで、被包装物（Ｂ）を中空状態で箱内に支持固定する。強度の低い被包装物（Ｂ）の側部（ＢＳ）に接触することなく、簡易な構造をもって中空支持することで、開蓋時に体裁の良い横置きの包装状態となると共に、運搬時の緩衝性、すなわち支持安定性に優れたものとなっている。
【００１３】
また、折込み支持片（４Ａ及び４Ｂ、５Ａ及び５Ｂ）は、箱本体の多面板構成を利用して、それぞれ頭部（ＢＨ）側端部、並びに底部（ＢＢ）側端部から上下に分かれて連接されたフラップ片からなる。この折込み支持片（４Ａ及び４Ｂ、５Ａ及び５Ｂ）それぞれを多角形筒体からなる折込み支持片（４Ａ及び４Ｂ，５Ａ及び５Ｂ）に組み上げ、上下相互に組み合わせるか係合させることで、被包装物固定部（４，５）が構成される。上下の折込み支持片（４Ａ及び４Ｂ，５Ａ及び５Ｂ）の各組み上げと上下相互の組み合わせによって、被包装物（Ｂ）を支持固定するための被包装物固定部（４，５）が構成されるため、支持紐のような別部材を用いる必要がなく、生産効率に優れたものとなっている。
【００１４】
〔２〕また、前記包装箱においては、箱本体がいわゆるＡ式ケースからなり、一側端及び他側端の各被包装物固定部（４，５）が箱内側方向ないし上下方向への解放により上下の折込み支持片（４Ａ及び４Ｂ，５Ａ及び５Ｂ）に分離可能であり、この被包装物固定部（４，５）の分離に伴って、頭部保持孔（４Ｈ）又は底部保持孔（５Ｈ）が上下に分離することが好ましい。
すなわち、
前記箱本体は、４枚の側板（１）が四方向に連なって方形状筒箱を構成し、この方形状筒箱の下部の両側部から連成された左右一組の底板（２１，２２）同士が対向して底板（２）を構成すると共に、方形状筒箱の上部の両側部から連成された左右一組の蓋板（３１，３２）同士が対向して蓋板（３）を構成し、
前記他側端の被包装物固定部においては、立体成形した上下の折込み支持片の対向面を互いに当接させて組み合わせ、さらに上下それぞれに対応形成した係止構造を係合させた状態で、箱内面の他側端部に充当してなり、
箱本体の一側端及び他側端の被包装物固定部（４，５）は、上下に組み合わせた箱内充当状態のまま蓋板同士を開いて開蓋状態とすることが可能であると共に、
箱本体の一側端、他側端の少なくともいずれかにおいて、被包装物固定部（４，５）は、上下に組み合わせた箱内充当状態から、開蓋状態としたまま上部を上方に展開させて互いに分離可能であり、この分離と共に収容孔が上方に開放されることが好ましい。
【００１５】
上記構成は、箱本体が四方向に連なった４枚の側板（１）からなるいわゆるＡ式ケースであり、このＡ式ケースの一端部及び他端部の上下板片を利用して被包装物固定部（４，５）を構成するものとしている。このため、生産効率に優れた蓋板同士を開いて箱本体を開蓋状態としたまま、上下一組の被包装物固定部（４，５）の上部を箱の内側から上方に展開することで、被包装物（Ｂ）を容易に取り出すことができる。またさらに底板同士を開いて箱本体を開蓋状態としたまま、上下一組の被包装物固定部（４，５）の下部を箱の内側から上方に展開することで、箱全体を容易に分解することができる。
【００１６】
また、前記包装箱においては、
前記一側端及び他側端の被包装物固定部は、上下の折込み支持片をそれぞれ多角形筒体形状に立体成形し、各多角形筒体を上下に重ね合わせて構成したものであり、
少なくともいずれかの多角形筒体の内部には、多角形筒体の形状保持用の対角片が連接形成され、
組み合わせて形成された上下一組の被包装物固定部の少なくともいずれかにおいて各対角片（４５）が多角形の対角線方向を内部横断することが好ましい。
【００１７】
すなわち、被包装物固定部（４，５）は折込み支持片（４Ａ及び４Ｂ，５Ａ及び５Ｂ）が各々多角形筒体に立体成形され、上下に組み合わせるか係合させてなるところ、
一側端の被包装物固定部（４）ないし他側端の被包装物固定部（５）の少なくともいずれかにおいて、各多角形筒体の内部に形状保持用の対角片（４５）を有することが好ましい。後述の実施例の対角片（４５）は、組み合わせて形成された上下一組の多角形筒体のそれぞれにおいて各対角片（４５）が多角形断面内の対角線方向を断面直線状に内部横断する。各対角片（４５）はまた、連接板の筒方向の一部分のカットによって、折込み支持片（４Ａ、４Ｂ、５Ａ、５Ｂ）と連接して形成される。
【００１８】
上記構成によれば、組み合わせ形成された上下の各多角形筒において、多角形断面内の対角線方向に、一枚板状の対角片（４５）が筋交い状に内部横断した状態となる（後述する実施例の図３ないし図６Ｂ参照）。対角片（４５）が筋交いの役割を果たすことで、多角形の断面形状の変形を抑制し、上下の各多角形筒の形状安定によって、頭部（ＢＨ）又は底部（ＢＢ）の保持安定性に優れたものとなる。
【００１９】
〔３〕また、前記包装箱においては、部分切断線によって保持孔を形成すると共に孔底板を構成することが好ましい。
【００２０】
すなわち、被包装物固定部（４，５）及び被包装物固定部（４，５）の上下の多角形筒体からなる折込み支持片（４Ａ及び４Ｂ，５Ａ及び５Ｂ）は、展開状態で側板（１）の上下に連接されたフラップ片を折込むことで形成され、
一側端の被包装物固定部（４）ないし他側端の被包装物固定部（５）の少なくともいずれかにおいて、
上下一組の折込み支持片（４Ａ及び４Ｂ，５Ａ及び５Ｂ）の一部が、包装する瓶の頭部（ＢＨ）又は底部（ＢＢ）に対応した所定の部分切断線でカットされ、この部分切断線を含む折込み支持片が連成部で折り曲げられることで、頭部保持孔（４Ｈ）又は底部保持孔（５Ｈ）が孔底板（５５）を有した立体形状に成形されることが好ましい。
【００２１】
上記構成によれば、被包装物固定部（４，５）の保持孔（４Ｈ）、被包装物固定部（４，５）の保持孔（５Ｈ）のいずれかが、孔形状のくり抜きではなく、一部を連成部として残した部分カットによって連成片を有した状態で形成される。この連成片は、孔底部（ＢＢ）にて、多角形筒体からなる折込み支持片（４Ａ及び４Ｂ，５Ａ及び５Ｂ）の折り曲げ方向と逆方向に折り曲げられることで、高さ方向に片先を向けた孔底板（５５）として組み立てられる。孔底板（５５）が孔底で被包装物（Ｂ）に接触可能に配置されることで、より保持安定性に優れたものとなる。
【００２２】
〔４〕また、前記包装箱の他側端の被包装物固定部（５）においては、上下一組の多角形筒体からなる折込み支持片（５Ａ及び５Ｂ）が上下係止構造によって相互係止されることが好ましい。
【００２３】
すなわち、前記他側端の被包装物固定部（５）において、上下一組の多角形筒体からなる折込み支持片（５Ａ及び５Ｂ）は、上下の多角形筒体からなる折込み支持片（５Ａ及び５Ｂ）の一方及び他方に、互いに係止する、第一係止部たる差し込み片、及び、第二係止部たる切り欠き孔からなる係止構造（６）を有し、この係止構造（６）が互いに係止した状態で、上下一組の多角形筒体からなる折込み支持片（５Ａ及び５Ｂ）が箱本体の側端部内に組み合わせられて箱内充当することが好ましい。
【００２４】
上記構成であれば、上下の多角形筒体からなる折込み支持片（５Ａ及び５Ｂ）が互いに上下に係止した係止状態をなす（例えば後述の実施例の図５）。これにより、不要に分解することのない、より強固な被包装物固定部（５）を構成することができ、被包装物固定部（５）の形状保持性の確保によって、保持安定性が良好なものとなる。
【発明の効果】
【００２５】
この発明は上述のような構成であり、開封時の体裁が良い横入れ収容型でありながら、運搬時の衝撃緩衝性と被包装物（Ｂ）の支持安定性に優れ、また、生産効率に優れる包装箱を提供することができるものとなった。
【図面の簡単な説明】
【００２６】
【図１】本発明の実施例１の包装箱の展開図。
【図２】実施例１の包装箱の組み立て後の被包装物の収容・開蓋状態の平面図。
【図３】図２のウ−ウ部の縦断面図。
【図４】被包装物を除いた、図２のア−ア部の縦断面図。
【図５】被包装物を除いた、図２のイ−イ部の縦断面図。
【図６Ａ】実施例１の包装箱の組み立て途中の第一段階（ａ）、第二段階途中（ｂ）の状態を示す側面説明図。
【図６Ｂ】実施例１の包装箱の組み立て途中の第二段階（ｃ）、第三段階（ｄ）の状態を示す側面説明図。
【図７】本発明の実施例２の包装箱の展開図。
【図８】実施例２の組み立て後の被包装物の収容・開蓋状態における、図３に相当する位置の縦断面図。
【図９】実施例２の組み立て後の被包装物の収容・開蓋状態における、図４に相当する位置の縦断面図。
【図１０】実施例２の組み立て後の被包装物の収容・開蓋状態における、図５に相当する位置の縦断面図。
【図１１】本発明の実施例３の包装箱の展開図。
【図１２】実施例３の組み立て後の被包装物の収容・開蓋状態における、図３に相当する位置の縦断面図。
【図１３】実施例３の組み立て後の被包装物の収容・開蓋状態における、図４に相当する位置の縦断面図。
【図１４】実施例３の組み立て後の被包装物の収容・開蓋状態における、図５に相当する位置の縦断面図。
【発明を実施するための形態】
【００２７】
以下、本発明の実施形態につき従来例及び本発明の実施例を示す各図に基づいて説明する。なお以下の括弧書きに示す符号は理解の補助のために図面にて実施例の相当構成箇所を参照するために便宜上付したものであり、概念ないし形態を特定したり限定したりするものではない。
いずれの実施例においても、この発明の包装箱は、頭部（ＢＨ）及び底部（ＢＢ）を有した瓶状の被包装物（Ｂ）を、箱内に横向きに収容支持し、収容状態で配送可能な緩衝性と支持安定性を有するものである。また上方に開く蓋板を有しており、蓋板を開いた状態で横向きに収容した被包装物（Ｂ）が視認されるものとなっている（図２参照）。
【００２８】
また、本発明の基本的な構成として、底板（２）、蓋板（３）、及び少なくとも４枚の側板（１１，１２，１３，１４）が連接された一面のシートから組み立てられる箱本体を有する。４枚の側板は、展開状態で連接方向の一端部に接着フラップ（１Ａ）が形成され、この接着フラップ（１Ａ）で４枚の側板の端部同士を繋ぐことで、４枚の側板が四方筒箱状に構成された、いわゆるＡ式ケースとなる（図１、図６Ａ、図７、図１１参照）。そして本発明の特徴の一つとして、このＡ式ケースの底板を除く左右上下のフラップ片を、折り曲げによって立体形成可能な上下の折込み支持片（４Ａ及び４Ｂ，５Ａ及び５Ｂ）として有している。上下の折込み支持片（４Ａ及び４Ｂ，５Ａ及び５Ｂ）をそれぞれ立体成形し、上下相互に組み合わせるか係合させることで、被包装物固定部（４，５）が形成される。
【００２９】
（被包装物固定部（４，５））
箱本体の内部の一側端及び他側端には、それぞれ、被包装物の頭部及び底部を保持固定する被包装物固定部（４，５）が形成される。本発明では、箱本体の一側端及び他側端の上下各部に連接されたフラップ片からなる折込み支持片（４Ａ及び４Ｂ）を、予め形成された平行な折り罫に沿ってそれぞれ多段階に折込むことで、箱本体の一側端及び他側端それぞれに、多角形筒体形状の被包装物固定部（４，５）を成形する。一側端及び他側端の被包装物固定部（４，５）は、箱本体の内部側にそれぞれ頭部保持孔（４Ｈ）又は底部保持孔（５Ｈ）が形成されており、収容する被包装物（Ｂ）の頭部（ＢＨ）又は底部（ＢＢ）を、頭部保持孔（４Ｈ）又は底部保持孔（５Ｈ）のそれぞれに保持することで、被包装物（Ｂ）を箱本体内に中空状態で保持固定する。但し中空状態とは、被包装物（Ｂ）の底部（ＢＢ）を除く側部（ＢＳ）が箱底面から浮いた状態をいう。以下、一側端の被包装物固定部（４）、及び、他側端の被包装物固定部（５）についてそれぞれ説明する。
【００３０】
まず、箱本体の一側端の上下各部にそれぞれ連接された折込み支持片（４Ａ及び４Ｂ）は、それぞれ並行な複数の折り罫で折り曲げて多角形筒体形状に立体成形する。立体成形した上下の折込み支持片（４Ａ及び４Ｂ）の対向面を互いに当接させて組み合わせることで、箱本体内部の一側端及び他側端に被包装物固定部（４）を形成してなる（図６Ａ参照）。一側端の被包装物固定部（４）は、蓋板を開いた状態で上部の折込み支持片（５Ａ）を展開させることで分離し、被包装物（Ｂ）の頭部（ＢＨ）を収納できる状態又は取り出せる状態となる。
【００３１】
また、箱本体の他側端の上下各部にそれぞれ連接された折込み支持片（５Ａ及び５Ｂ）は、上下それぞれ並行な複数の折り罫で折り曲げて多角形筒体形状に立体成形する。立体成形した上下の折込み支持片（５Ａ及び５Ｂ）の対向面を互いに当接させて組み合わせ、さらに上下それぞれに対応形成した係止構造（係止部６Ａ，６Ｃ）を互いに係合させることで、箱本体内部の他側端に被包装物固定部（５）を形成してなる（図６Ａ参照）。他側端の被包装物固定部（５）は上下の折込み支持片（５Ａ及び５Ｂ）の係止を解除して上下いずれかを展開させることで分離し、被包装物（Ｂ）の底部（ＢＢ）を収納できる状態又は取り出せる状態となる。
【００３２】
（頭部保持孔（４Ｈ））
折込み支持片（４Ａ及び４Ｂ，５Ａ及び５Ｂ）には、被包装物固定部（４，５）の頭部保持孔（４Ｈ）又は底部保持孔（５Ｈ）の該当箇所に予めカット部又は折り罫が設けられており、折込み支持片（４Ａ及び４Ｂ，５Ａ及び５Ｂ）を立体成形する際に、このカット部又は折り罫が、頭部保持孔（４Ｈ）又は底部保持孔（５Ｈ）の半部として成形される。
【００３３】
一側端、他側端のそれぞれにおいて、上下の折込み支持片（４Ａ及び４Ｂ，５Ａ及び５Ｂ）は、当接する筒側面の角部（下角部及び上角部）に、頭部保持孔（４Ｈ）の半部（上半部及び下半部）、又は底部保持孔（５Ｈ）の半部（上半部及び下半部）を有している。各折込み支持片（４Ａ及び４Ｂ，５Ａ及び５Ｂ）の多角形筒体を上下に組み合わせて被包装物固定部（４，５）を形成したとき、頭部保持孔（４Ｈ）の半部同士が上下に組み合わされて、被包装物（Ｂ）の頭部（ＢＨ）を保持固定する頭部保持孔（４Ｈ）が形成される。また、上下の折込み支持片（４Ａ及び４Ｂ，５Ａ及び５Ｂ）を上下に展開させたとき、頭部保持孔（４Ｈ）が各半部毎に上下に分離して、被包装物（Ｂ）の頭部（ＢＨ）の保持固定が解除される。
【００３４】
実施例の頭部／底部保持孔は以下の具体的形態となっている。すなわち、一側端の上下の折込み支持片（４Ａ及び４Ｂ）は、当接する筒側面のうち、箱本体中央寄りの角部（上の折込み支持片（４Ａ）の下角部と下の折込み支持片（４Ｂ）の上角部）に、半円筒窪み状の頭部保持孔（４Ｈ）の半部が形成される。この上下の折込み支持片（４Ａ及び４Ｂ）同士を相互に組み合わせることで、上下の頭部保持孔（４Ｈ）の半部同士が組み合されて、円筒穴状の頭部保持孔（４Ｈ）が被包装物固定部（４，５）の内側に形成される。
また、他側端の上下の折込み支持片（４Ａ及び４Ｂ，５Ａ及び５Ｂ）は、当接する筒側面のうち、箱本体中央寄りの角部（上の折込み支持片（４Ａ及び４Ｂ，５Ａ及び５Ｂ）の下角部と下の折込み支持片（４Ａ及び４Ｂ，５Ａ及び５Ｂ）の上角部）に、半円筒窪み状の底部保持孔（５Ｈ）の半部が形成される。この上下の折込み支持片（４Ａ及び４Ｂ，５Ａ及び５Ｂ）同士を相互に組み合わせることで、上下の底部保持孔（５Ｈ）の半部同士が組み合されて、円筒穴状の底部保持孔（５Ｈ）が被包装物固定部（４，５）の内側に形成される。
【００３５】
また、被包装物固定部（４，５）は、上下の多角形筒体からなる折込み支持片（４Ａ及び４Ｂ，５Ａ及び５Ｂ）が互いに組み合わされた状態で、箱内面の一側部に充当し、充当した一側部の内面に頭部保持孔（４Ｈ）を有し、
被包装物固定部（４，５）は、上下の多角形筒体からなる折込み支持片（４Ａ及び４Ｂ，５Ａ及び５Ｂ）が互いに組み合わされた状態で、箱内面の他側部に充当し、充当した多側部の内面に底部保持孔（５Ｈ）を有する。
【００３６】
そして、箱本体の内部にて、上下一組の折込み支持片（４Ａ及び４Ｂ，５Ａ及び５Ｂ）を組み合わせて又は係合させてなる被包装物固定部（４，５）が、収容する被包装物（Ｂ）の頭部（ＢＨ）及び底部（ＢＢ）を、頭部保持孔（４Ｈ）及び底部保持孔（５Ｈ）のそれぞれに保持し、側部が箱底面から浮いた中空状態で、被包装物（Ｂ）を固定する（図２、図６Ｂ参照）。
【００３７】
さらに箱本体は、底板、蓋板、及び少なくとも４枚の側板が連接された箱筒板から組み立てられるいわゆるＡ式ケースからなり、一側端及び他側端の各被包装物固定部（４，５）が箱内側への解放により４枚の側板が連接された状態に分解可能となっている。
【００３８】
また、一側端の被包装物固定部（４）ないし他側端の被包装物固定部（５）は、上下の折込み支持片をそれぞれ多角形筒体形状に立体成形し、各多角形筒体を上下に重ね合わせて構成したものであり、上下の多角形筒体の少なくともいずれかの内部には、筒体形状を保持するための対角片（４５）が設けられる。
対角片は、多角形筒状に立体成形された上下一組の折込み片に連接形成され、多角形の対角線方向を内部横断することで、多角形筒体の変形を規制する。
実施例では、上下一組の多角形筒体からなる折込み支持片（４Ａ及び４Ｂ，５Ａ及び５Ｂ）の筒方向の一部分のカットによって、多角形断面内を対角方向に横断する対角片（４５）が連接形成される。組み合わせて形成された上下一組の被包装物固定部（４，５）のそれぞれにおいて各対角片（４５）が多角形断面内の対角線方向を内部横断する筋交い板として配置される（図３、図６、図８、図１２の各図中左側の符号４５）。
【００３９】
また、一側端の被包装物固定部（４）ないし他側端の被包装物固定部（５）の少なくともいずれかにおいて、上下一組の折込み支持片（４Ａ及び４Ｂ，５Ａ及び５Ｂ）の一部が、包装する瓶の頭部（ＢＨ）又は底部（ＢＢ）に対応した所定の部分切断線でカットされ、この部分切断線を含む折込み支持片が連成部で折り曲げられることで、頭部保持孔（４Ｈ）又は底部保持孔（５Ｈ）が、孔底板（５５）を有した立体形状として成形される。前記部分切断線による切断箇所に設けた切欠片は、立体形状に成形された頭部保持孔（４Ｈ）又は底部保持孔（５Ｈ）の孔底部（ＢＢ）で高さ方向に端部を向けて組み立てられることで孔底板（５５）を構成する（図３、図６、図８の各図中右側の符号４５）。孔底板（５５）は、通常の収容支持状態で頭部（ＢＨ）又は底部（ＢＢ）と孔底部（ＢＢ）で接触するものでもよいが、他の態様として、通常の収容支持状態では接触せず被包装物（Ｂ）が所定以上ずれたときに接触してそれ以上のずれを規制するものでもよい。また、孔底板（５５）の板面は頭部（ＢＨ）又は底部（ＢＢ）の径よりも大きい代表径の面板からなることで、頭部（ＢＨ）又は底部（ＢＢ）の周方向の外部接触を防ぐものでもよい。
【００４０】
また、前記包装箱の各被包装物固定部（４，５）の少なくともいずれかにおいては、上下一組の多角形筒体からなる折込み支持片（４Ａ及び４Ｂ，５Ａ及び５Ｂ）が任意の係止構造によって相互係止される。すなわち、一側端の被包装物固定部（４）ないし他側端の被包装物固定部（５）の少なくともいずれかにおいて、上下一組の多角形筒体からなる折込み支持片（４Ａ及び４Ｂ，５Ａ及び５Ｂ）は、上下の多角形筒体からなる折込み支持片（４Ａ及び４Ｂ，５Ａ及び５Ｂ）の一方及び他方に、互いに係止する第一係止部（６Ａ）及び第二係止部（６Ｂ）からなる係止構造（６）を有する。この係止構造（６）が互いに係止した状態で、上下一組の多角形筒体からなる折込み支持片（４Ａ及び４Ｂ，５Ａ及び５Ｂ）が箱本体の側端部内に組み合わせられて箱内充当する。係止構造は、後述の実施例のように、対応する形状で組み上げ時に対向するように形成された差込み片と切欠き孔とからなるものでもよく、また、相互係止可能な２つの差込み片からなるものでもよい。また、他の態様として、連結クリップ、連結フックなどの別部材の係止構造を取り付けたものでもよい。
【００４１】
以下、本発明の実施例の構成につき詳述する。
【実施例１】
【００４２】
図１〜図６Ｂに示す実施例１の包装箱は、展開状態で、第三側板（１３）、第一側板（１１）、第四側板（１４）、第二側板（１２）、接着フラップ（１Ａ）が順に側方へ連接され、第一側板（１１）の上下にそれぞれ第一底板（２１）及び第一蓋板（３１）が連接され、第二側板（１２）の上下にそれぞれ第二底板（２２）及び第二蓋板（３２）が連接される。４枚の側板は、展開状態で連接方向の一端部に接着フラップ（１Ａ）が形成され、この接着フラップを第三側板に接着することで、４枚の側板が四方筒箱状に連接構成され、その下部に左右からの折り畳みによる底板を有し、その上に左右からの折り畳みによる蓋板を有した、いわゆるＡ式ケースを構成する（図６Ａ参照）。
【００４３】
そして本発明の特徴の一つとして、このＡ式ケースの底板、蓋板を除く左右上下のフラップ片を、多角形筒体からなる折込み支持片（４Ａ及び４Ｂ，５Ａ及び５Ｂ）として折り曲げ形成可能な上下の折込み支持片（４Ａ及び４Ｂ，５Ａ及び５Ｂ）として有している。一側端の上下の折込み支持片（４Ａ、４Ｂ）は、上下一組で、頭部（ＢＨ）を収容保持するための被包装物固定部（４Ａ´，４Ｂ）を構成する。他側端の上下の折込み支持片（５）は、上下一組で、底部（ＢＢ）を収容保持するための被包装物固定部（４，５）を構成する。
【００４４】
まず、被包装物固定部（４）、並びにこれらを構成する上部及び下部の折込み支持片（４Ａ，４Ｂ）の実施形態を説明する。第四側板（１４）の上下にはそれぞれ、第一折込み支持片（４１）、第二折込み支持片（４２）、第三折込み支持片（４３）、第四折込み支持片（４４）が順に並行連成された、頭部（ＢＨ）側の一組の折込み支持片（４Ａ，４Ｂ）が形成される。頭部（ＢＨ）側の折込み支持片（４Ａ，４Ｂ）は４面夫々の連接境界で略垂直に折り曲げられ、第四折込み支持片（４４）が第四側板（１４）の内面に当接することで、断面四角形の連成筒体として箱本体の一側端に固定される。このように構成された上部の折込み支持片（４Ａ）の第三折込み支持片（４３）と、下部の折込み支持片（４Ｂ）の第三折込み支持片（４３）とが面当接して、上下一組に組み構成された一側端の被包装物固定部（４）を構成する（図６Ａ（ｂ）、図６Ｂ（ｃ））。
【００４５】
また、被包装物固定部（４，５）を構成する多角形筒体からなる折込み支持片（４Ａ及び４Ｂ，５Ａ及び５Ｂ）それぞれの内部に、幅方向中央部のＵ字状の部分切断線切断面（４５Ｃ）によって形成された、形状保持用の対角片（４５）を有する。被包装物固定部（４，５）の上下の折込み支持片（４Ａ、４Ｂ）は、それぞれ幅方向左右近傍に、半長円形の孔形状のくり抜き孔が、展開状態で対称形状として形成される（図１）。折込み支持片（４Ａ、４Ｂ）をそれぞれ多角形筒体形状に組み上げて、上下の多角形筒体の当接面同士を互いに当接させたとき、各くり抜き孔が上下に組み合わせられ、頭部（ＢＨ）の円柱形状にくりぬかれた頭部保持孔（４Ｈ）が構成される（図３、図４）。
【００４６】
一端側の被包装物固定部（４）を構成する上部及び下部の折込み支持片（４Ａ，４Ｂ）はともに、切抜き部中央部のＵ字状の部分切断線（４５Ｃ）によって形成された、形状保持用の対角片（４５）を有し、断面視にて多角形筒体の対角線方向を直線的に亘ることで多角形筒体の変形を抑制している（図３、図６Ｂ（ｃ））。実施例では上下の対角片（４５）の対角横断方向が同方向ではなく、互いに異なる方向としている（図３）。つまり、上部の対角片（４５）が四角形筒体の断面視右上角部から左下角部に右斜め上方向に直線状に亘り、下部の対角片（４５）が四角形筒体の断面視左上角部から右下角部に右斜め下方向に直線状に亘る。各対角片（４５）は、上下それぞれの四角形筒体の多角形の対角線方向を異なる方向に内部横断し、上下の対角片（４５）の端部同士が近接して、断面視略「く」の字形状に亘るように配される。実施例では、上下一組の多角形筒体からなる多角形断面内を対角方向に横断する対角片（４５）が連接形成される。組み合わせて形成された上下一組の被包装物固定部（４，５）のそれぞれにおいて各対角片（４５）が多角形断面内の対角線方向を内部横断する筋交い板として配置される（図３、図６、図８、図１２の各図中左側の符号４５）。
【００４７】
次に、被包装物固定部（５）、並びにこれらを構成する上部及び下部の折込み支持片（５Ａ，５Ｂ）の実施形態を説明する。第三側板（１３）の上下にはそれぞれ、第一折込み支持片（５１）、第二折込み支持片（５２）、第三折込み支持片（５３）、第四折込み支持片（５４）が順に並行連成された、底部（ＢＢ）側の一組の折込み支持片（５Ａ，５Ｂ）が形成される。底部（ＢＢ）側の折込み支持片（５Ａ，５Ｂ）は４面夫々の連接境界で略垂直に折り曲げられ、第四折込み支持片（５４）が第三側板（１３）の内面に当接することで、断面四角形の連成筒体として箱本体の他側端に固定される。このように構成された上部の折込み支持片（５Ａ）の第三折込み支持片（５３）と、下部の折込み支持片（５Ｂ）の第三折込み支持片（５３）とが面当接して、上下一組に組み構成された他側端の被包装物固定部（５）を構成する（図６Ａ（ｂ）、図６Ｂ（ｃ））。
【００４８】
被包装物固定部（４，５）の上下の折込み支持片（５Ａ，５Ｂ）には、それぞれ幅方向左右近傍に、半円形のカット孔が、展開状態で対称形状として形成される（図１）。上下の折込み支持片（５Ａ，５Ｂ）を多角形筒体に組み上げて互いに面当接させたとき、各カット孔が上下に組み合わせられ、底部（ＢＢ）の円柱形状にくりぬかれた底部保持孔（５Ｈ）が構成される（図３、図５）。
【００４９】
また、実施例１の係止構造として、他側端の被包装物固定部（５）において、上下一組の多角形筒体からなる折込み支持片（５Ａ及び５Ｂ）同士が係止構造によって相互係止される。すなわち、他側端の被包装物固定部（５）の少なくともいずれかにおいて、上下一組の多角形筒体からなる折込み支持片（５Ａ及び５Ｂ）は、上下の一方及び他方に、互いに係止する第一係止部（６Ａ）及び第二係止部（６Ｂ）からなる係止構造（６）を有する。この係止構造（６）が互いに係止した状態で、上下一組の多角形筒体からなる折込み支持片（５Ａ及び５Ｂ）が箱本体の側端部内に組み合わせられ、互いに係合した状態で箱内充当する。本実施例の係止構造は、対応する形状で組み上げ時に対向するように、上部の折込み支持片に形成された、第一係止部（６Ａ）たる差し込み片と、下部の折込み支持片に形成された、第二係止部（６Ｃ）たる切り欠き孔とからなる。具体的には、上部の多角形筒体からなる折込み支持片（４Ａ及び４Ｂ，５Ａ及び５Ｂ）を構成する上部の折込み支持片の面内の幅方向左右近傍に、底板の中央部に連なる、第一係止部（６Ａ）たる差込み片が、部分切断線によって、底板面と連続する面板として形成される。第一係止部（６Ａ）たる差込み片は孔底板の形成方向と逆方向を向くように部分カット形成された、先端が太幅の倒立台形形状の板片からなる。
【００５０】
また、下部の折込み支持片（５）の面内の幅方向左右近傍に、底板の中央部に形成される第二係止部（６Ｃ）たる切り欠き孔が、部分切断線によって形成される。第二係止部（６Ｃ）たる切り欠き孔は、第一係止部（６Ａ）たる差し込み片に対応した、先端が太幅の倒立台形形状からなる。また、第二係止部（６Ｃ）たる切り欠き孔を構成する部分切断線によって、底板面の後方へ階段状に並行な重ね面板（６Ｂ）として形成される。第二係止部（６Ｃ）と第一係止部（６Ａ）との係止状態では、重ね面板（６Ｂ）が、第一係止部（６Ａ）たる差し込み片の後方へずれて重なった状態となる（図３）。第二係止部（６Ｃ）たる切り欠き孔と、第一係止部（６Ａ）たる差し込み片との係止部の裏側に、重ね面板（６Ｂ）が重なることで、係止状態の形状保持性が良好なものとなる。
【実施例２】
【００５１】
図７〜図１０に示す実施例２の包装箱は、実施例１と比べて、被包装物固定部（４，５）の対角片（４５）の形状、並びに、被包装物固定部（４，５）の係止構造の位置と形状が異なる。その他の基本的な形態及び組立て方法、使用方法は実施例１と同様である。
【００５２】
本実施例では、被包装物固定部（４，５）を構成する四角形筒体からなる折込み支持片（４Ａ及び４Ｂ，５Ａ及び５Ｂ）それぞれの幅方向中央部の内部に、縦長台形状の部分切断線（４５Ｃ）によって形成された、形状保持用の対角片（４５）を有する。この台形状の対角片（４５）が、断面視にて各多角形筒体からなる折込み支持片（４Ａ及び４Ｂ，５Ａ及び５Ｂ）の対角線方向を亘ることで、本実施例の対角片（４５）の弾性変形による形状変形の柔軟性を有しながら、多角形筒体からなる折込み支持片（４Ａ及び４Ｂ，５Ａ及び５Ｂ）の形状を比較的柔軟に保持している（図８）。
【００５３】
また本実施例では、係止構造として、上部の折込み支持片に形成された第一係止部（６Ａ）たる差し込み片と、下部の折込み支持片に形成されたくり抜き孔からなる第二係止部（６Ｃ）たる切り欠き孔とが形成される。具体的には、上部の多角形筒体からなる折込み支持片（４Ａ及び４Ｂ，５Ａ及び５Ｂ）を構成する上部の折込み支持片（５）の面内の幅方向中央において、底板の中央部に連なる、第一係止部（６Ａ）たる差込み片が、部分切断線によって、第三折込み支持片（５３）と連続する面板として形成される。第一係止部（６Ａ）たる差込み片は、孔底板の形成方向と逆方向を向くように部分カット形成された、先端が太幅の倒立台形形状からなる。また、下部の多角形筒体からなる折込み支持片（４Ａ及び４Ｂ，５Ａ及び５Ｂ）を構成する下部の折込み支持片の面内の幅方向中央において、底板の中央部に、第二係止部（６Ｃ）たる切り欠き孔が、台形のくり抜きによって形成される。本実施例の第二係止部（６Ｃ）たる切り欠き孔は、第一係止部（６Ａ）たる差し込み片に対応した、先端が太幅の倒立台形形状からなる。第二係止部（６Ｃ）と、第一係止部（６Ａ）との係止状態では、第一係止部（６Ａ）たる差し込み片が、第二係止部（６Ｃ）たる切り欠き孔内に挿入され、第一係止部（６Ａ）の差し込み片の台形の細幅部が、第二係止部（６Ｃ）の切り欠き孔内の台形の細幅部に係止した状態となる（図１０）。
【実施例３】
【００５４】
図１１〜図１３に示す実施例３の包装箱は、実施例１と比べて、被包装物固定部（４，５）の対角片（４５）の位置と個数、並びに、被包装物固定部（４，５）の係止構造の位置と形状が異なる。その他の基本的な形態及び組立て方法、使用方法は実施例１と同様である。
【００５５】
本実施例では、被包装物固定部（４，５）を構成する四角形筒体からなる折込み支持片（４Ａ及び４Ｂ，５Ａ及び５Ｂ）それぞれの内部の幅方向左右部近傍に、縦長略矩形状の部分切断線（４５Ｃ）によって形成された、形状保持用の対角片（４５）を有する。この形状保持用の対角片（４５）が、各多角形筒体からなる折込み支持片（４Ａ及び４Ｂ，５Ａ及び５Ｂ）の幅方向に左右対称に対角線方向を亘ることで、多角形筒体からなる折込み支持片（４Ａ及び４Ｂ，５Ａ及び５Ｂ）の形状をより強固に保持している（図１２、図１３）。
【００５６】
また本実施例では、係止構造として、上部の折込み支持片に形成された第一係止部（６Ａ）たる差し込み片と、下部の折込み支持片に形成された第二係止部たるくり抜き孔（６Ｈ）とが形成される。具体的には、上部の多角形筒体からなる折込み支持片（４Ａ及び４Ｂ，５Ａ及び５Ｂ）を構成する上部の折込み支持片（５）の面内の幅方向中央に、底板の中央部に連なる第一係止部（６Ａ）の差込み片が、部分切断線によって、第三折込み支持片（５３）と連続する面板として形成される。第一係止部（６Ａ）の差込み片は、底板の形成方向と逆方向を向くように部分カット形成された、先端が太幅の倒立台形形状の連接板片からなる。  また、下部の多角形筒体からなる折込み支持片（４Ａ及び４Ｂ，５Ａ及び５Ｂ）を構成する下部の折込み支持片の面内の幅方向中央に、台形のくり抜き孔（６Ｈ）がくり抜き形成される。本実施例のくり抜き孔（６Ｈ）は第一係止部（６Ａ）の差し込み片形状に対応した、先端が太幅の倒立台形形状からなる。第二係止部（６Ｃ）と第一係止部（６Ａ）の係止状態では、第一係止部（６Ａ）の差し込み片が、第二係止部（６Ｃ）の切り欠き孔内に挿入された状態となる（図１２、図１４）。
【００５７】
（多角形筒体からなる折込み支持片（４Ａ及び４Ｂ，５Ａ及び５Ｂ）の他の実施例）
尚、上記実施例の上下の多角形筒体からなる折込み支持片（４Ａ及び４Ｂ，５Ａ及び５Ｂ）は、並行な４つの折り辺を略垂直に山折りし、先端片を箱側面の内側に当接させることで四面筒状に形成した四角形体からなるが、他の実施例として、五角形体、六角形体、或いは一部を湾曲面で構成した共通の折込み支持片（４Ａ及び４Ｂ，５Ａ及び５Ｂ）を組み合わせて又は係合させてなるものとしてもよい。また上記実施例では上下に共通する面数の四角形体からなるが、上下に異なる面数の多角形筒体からなる折込み支持片（４Ａ及び４Ｂ，５Ａ及び５Ｂ）を組み合わせてもよい。
【００５８】
（実施例の効果）
上記各包装箱は、瓶状の被包装物（Ｂ）を横入れ方向に収納し、頭部（ＢＨ）及び底部（ＢＢ）で保持しながら中空支持することで、開封時の体裁が良い横入れタイプでありながら、運搬時の緩衝性に優れ、生産性にも優れる包装箱が提供されるものとなっている。さらに上下組を内部方向へ解放分離可能としたことで、包装解除、再包装が容易となっている。
【００５９】
すなわち、一側端及び他側端それぞれの側板にフラップ片として形成された折込み支持片（４Ａ及び４Ｂ，５Ａ及び５Ｂ）を上下相互に組み合わせるか係合させることで、別部材を用いることなく容易に被包装物固定部（４，５）を形成するものとなっている。特に実施例の折込み支持片（４Ａ及び４Ｂ，５Ａ及び５Ｂ）は、折込み支持片の連接部と並行な複数の折り罫を多段階に折り曲げた四角形筒体からなるため、緩衝性に優れたものとなる。被包装物固定部（４，５）は、閉蓋状態では蓋板及び底板によって上下面が押えられており、蓋板又は底板を開いた開蓋状態でのみ、上下の折込み支持片（４Ａ及び４Ｂ，５Ａ及び５Ｂ）に展開可能となっている。このため、包装された閉蓋状態では容易に移動や変形せず被包装物の保持性に優れる一方、被包装物の収納時又は取り出し時、或いは取り出し後の分解時に容易に展開可能となっている。さらに、この四角形筒体からなる上下の折込み支持片（４Ａ及び４Ｂ，５Ａ及び５Ｂ）は下角部及び上角部に頭部保持孔（４Ｈ）／底部保持孔（５Ｈ）の上半部及び下半部が形成されており、保持孔下側面と上側面同士を当接させて組み合わせることで、頭部保持孔（４Ｈ）／底部保持孔（５Ｈ）が上下に組み合わせ形成されるものとなっている。このため、被包装物固定部（４，５）を、上下に分離させるだけで、頭部保持孔（４Ｈ）又は底部保持孔（５Ｈ）が、被包装物固定部（４，５）を上下に展開させることができ、これによって上下に分離し、被包装物を取り出せる状態となっている。
【００６０】
さらに他側端の上下の折込み支持片（５Ａ及び５Ｂ）は、上下の対向面同士が当接した状態でさらに係止構造によって互いに係止されている。これによってより強固な保持状態を維持することができる。
【００６１】
その他本発明は上述した実施例に限られず、実施例の各部の各要素を組み合わせ或いは各要素の抽出ないし置換など、本発明の趣旨を逸脱しない程度の種々の変更を適宜行うことができる。また各構成の形状は実施例の説明ないし各図にあらわされたものに限られず、要素ごとの形状変更が可能である。
【符号の説明】
【００６２】
側板（１）
第一側板（１１）
第二側板（１２）
第三側板（１３）
第四側板（１４）
接着フラップ（１Ａ）
底板（２）
第一底板（２１）
第二底板（２２）
蓋板（３）
第一蓋板（３１）
第二蓋板（３２）
一側端の被包装物固定部（４）
対角片（４５）
頭部保持孔（４Ｈ）
折込み支持片（４Ａ）（４Ｂ）（５Ａ）（５Ｂ）
他側端の被包装物固定部（５）
底部保持孔（５Ｈ）
孔底板（５５）
係止構造（６）
第一係止部（６Ａ）
第二係止部（６Ｂ）
被包装物（Ｂ）
頭部（ＢＨ）
底部（ＢＢ）
側部（ＢＳ）
【図１】
0006773405.tif 000002
【図２】
0006773405.tif 000003
【図３】
0006773405.tif 000004
【図４】
0006773405.tif 000005
【図５】
0006773405.tif 000006
【図６Ａ】
0006773405.tif 000007
【図６Ｂ】
0006773405.tif 000008
【図７】
0006773405.tif 000009
【図８】
0006773405.tif 000010
【図９】
0006773405.tif 000011
【図１０】
0006773405.tif 000012
【図１１】
0006773405.tif 000013
【図１２】
0006773405.tif 000014
【図１３】
0006773405.tif 000015
【図１４】
0006773405.tif 000016